(57)【要約】【課題】各家庭の家の好みの部屋の壁に、遺影写真等を収めた額をサイズが異なっていても簡単に飾りつけできるようにすると共に、花を生けた花瓶を着脱自在に取り付けることができ、且つ、小物等も載置できることができるようにした額取付用台座を提供する。【解決手段】、台座と、台座を壁に取り付ける台座の後面に設けた基板と、台座の後部に遺影写真等を収めた額を立て掛け可能とする額固定手段と、台座の少なくとも一側方の前面に花瓶受部を設けると共に、花瓶を備え、上記花瓶受部と花瓶をスライド自在に嵌合させて、台座の前面に花瓶を脱着可能に取り付け、さらに、上記台座の前部に小物等を載置可能とした棚部を設けたものである。【選択図】図１
2012030024.tif 000002
【特許請求の範囲】
【請求項１】
略フラットな台座に、台座を壁に取り付ける台座の後面に設けた基板と、上記台座の後側部に遺影写真等を収めた額を立て掛け保持する額保持部と、上記台座の左右方向の少なくとも一側方の前面に上下方向に伸びるスライド溝を形成した花瓶受部を設けると共に、後面に上下方向に伸びるスライダを設けた花瓶を備え、上記花瓶のスライダを上記台座のスライド溝に上方から嵌合し下方にスライドさせて、台座の前面に花瓶を脱着可能に取り付け、さらに、上記台座の前部に小物等を載置可能とした棚部を設けたことを特徴とする額取付用台座。
【請求項２】
上記額保持部を上記台座の後側両側に左右一対に設けると共に、上記額保持部の相対向する面に、額縁の左右下部を上方から挿入可能とした横断面コ型の縦溝と、額保持部を台座に対して左右方向にスライド自在に固定する額保持部と一体的の固定板とを設け、また、台座を壁に取り付ける上記基板に、額縁の上部を係止可能とし且つ基板に対して上下方向にスライド自在に固定する支持板とを設け、額のサイズに合わせて額保持部と支持板を適宜スライドさせて額を台座上に支持したことを特徴とする請求項１記載の額取付用台座。
【請求項３】
上記台座の後部に台座の幅に沿って上方に立設し壁への取付穴を設けた基板を一体的に設け、この基板の前方に位置し、基板と略平行して基板の高さより低く立設した支え板とを備えると共に、上記台座に卓上スタンド額を載置する時、卓上スタンドの脚部を上記台座の基板と支え板との間で形成した額保持部に挟み込むことによってサイズの異なる卓上スタンド額を台座上に支持したことを特徴とする請求項１記載の額取付用台座。
【発明の詳細な説明】
【技術分野】
【０００１】  本発明は、遺影写真や肖像画等を収めた額を、家の壁面に飾りつけるために予め壁面に取付けた額取付用台座に係り、特に額の大きさにかかわらず取付け可能で、また額の側部に花瓶等を配置し、さらに前部に棚部を設けた額取付用台座に関する。
【背景技術】
【０００２】  最近は核家族化が進み、家に仏壇を備える家も少なくなり、また、住宅も洋風化が進み仏壇の設置、遺影写真等の飾りつけに抵抗を感じる世代も多くなっている。しかしながら、多くの遺族の方は、亡くなられた人を思い遺影写真等を身近なところに置いておきたいという気持ちで机、テーブル、家具等の上に設置している。例えば、祭壇額本体の各種形状の基板パネルには，所定位置に写真、肖像画等の画板を嵌装する開口部を形成し、該開口部には、下方に香炉又は花瓶等を載置する棚台又は下部に受台を設けて棚台を固定した祭壇額がある（特許文献１参照）。また、額縁本体に押し花等を収納し、支持台に位牌や供物を置いた額縁を壁面にピンで吊り下げた額縁もある（特許文献２参照）。
【先行技術文献】
【特許文献】
【０００３】
【特許文献１】特開２００２−０８５２５１号公報
【特許文献２】特開２００３−２３０４６８号公報
【発明の概要】
【発明が解決しようとする課題】
【０００４】  上記従来の特許文献１に見られるような遺影写真や肖像画等を収めた額を、テーブル、家具等の上面に載置するタイプでは、置き場所に制約があり、また額を載置するだけでは生花を生けた花瓶、あるいは香炉等の転倒を防ぐための配慮も必要で構造全体が大きくなる憂いがある。また、上記従来の特許文献２に見られるような壁面に吊り下げるタイプでは、額の大きさに合わせて遺影写真を作らなければならず、各家庭の事情に対応しておらず、販売店の設定した大きさの額を購入しなければならないという不都合がある。【０００５】  本発明は、このような従来の構成が有していた問題を解決しようとするものであり、各家庭の家の好みの部屋の壁に、遺影写真等を収めた額を、しかも額の大きさにかかわらず取付け可能とし、さらに生花を生けた花瓶を簡単に着脱自在に飾りつけできるようにすると共に、遺品あるいは小物等も載置できることができるようにした額取付用台座を提供することを目的とする。
【課題を解決するための手段】
【０００６】  そして、本発明は上記目的を達成するために、略フラットな台座に、台座を壁に取り付ける台座の後面に設けた基板と、上記台座の後側部に遺影写真等を収めた額を立て掛け保持する額保持部と、上記台座の左右方向の少なくとも一側方の前面に上下方向に伸びるスライド溝を形成した花瓶受部を設けると共に、後面に上下方向に伸びるスライダを設けた花瓶を備え、上記花瓶のスライダを上記花瓶受部のスライド溝に上方から嵌合し下方にスライドさせて、台座の前面に花瓶を脱着可能に取り付け、さらに、上記台座の前部に小物等を載置可能とした棚部を設けたものである。【０００７】  また、本発明は上記目的を達成するために、上記額保持部を上記台座の後側両側に左右一対に設けると共に、上記額保持部の相対向する面に、額縁の左右下部を上方から挿入可能とした横断面コ型の縦溝と、額保持部を台座に対して左右方向にスライド自在に固定する額保持部と一体的の固定板とを設け、また、台座を壁に取り付ける上記基板に、額縁の上部を係止可能とし且つ基板に対して上下方向にスライド自在に固定する支持板とを設け、額のサイズに合わせて額保持部と支持板を適宜スライドさせて額を台座上に支持したものである。【０００８】  さらに、本発明は上記目的を達成するために、上記台座の後部に台座の幅に沿って上方に立設し壁への取付穴を設けた基板を一体的に設け、この基板の前方に位置し、基板と略平行して基板の高さより低く立設した支え板とを備えると共に、上記台座に卓上スタンド額を載置する時、卓上スタンドの脚部を上記台座の基板と支え板との間で形成した額保持部に挟み込むことによってサイズの異なる卓上スタンド額を台座上に支持したものである。【０００９】  本発明の課題解決手段による作用は次の通りである。すなわち、予め部屋の適宜の位置の壁に額取付用台座を基板を介して固定し、遺影写真等を収めた額を額保持部によって台座上に載置固定し、さらに、台座前面の花瓶受部に、花をさした花瓶を花瓶受部の前面と花瓶の後面に設けたスライド溝とスライダによって上方からスライドさせて嵌合取り付ける。【００１０】  また、本発明の課題解決手段による作用は、予め部屋の適宜の位置の壁に額取付用台座を基板の取付穴を介して固定し、遺影写真等を収めた額の左右額縁部を左右の額保持部の縦溝に挿入し、さらに予め設けた上部額縁の上部中央に設けたフック部を支持板にはめ込んで額を固定支持する。この時、額と左右の額縁受部とのサイズが合わない時は台座に取り付けた固定板のビスを緩め額の大きさに合わせて固定板を左右にスライドさせて調整し再度ビスを締めて固定する。そして花瓶を花瓶受部の前面と花瓶の後面に設けたスライド溝とスライダのスライド手段によって上方から挿入して取り付ける。【００１１】  さらに、本発明の課題解決手段による作用は、予め部屋の適宜の位置の壁に台座を基板の取付穴を介して固定し、卓上スタンドの脚部を上記台座後部の基板と支え板との間に挟み込むことによってサイズの異なる卓上スタンド額を台座上に固定保持し、また、基板の一側前面と花瓶の後面に設けたスライド手段によって、基板の前面に筒状の花瓶を上下方向にスライドさせて脱着可能としたものである。
【発明の効果】
【００１２】  上述したように本発明の額取付用台座は、額保持部が左右にスライド自在なので、遺影写真等を収めた額の大きさに係わらずそれぞれのサイズに応じて適宜調整取付けることができる。また額を上方向から挿入するので取付操作も簡単でまた、紐等で吊るしていないのでしっかりと壁に固定した感じとなる。また額の側部に花瓶を配置したので故人の好きな花を常時飾ることができるし、さらに花瓶も上下方向にスライド可能に配置したので、花瓶の水の交換時や花の入れ替え時誤って転倒させる憂いもない。さらに前部に棚部を設けたので適宜小物類も載置することができる。【００１３】  さらに本発明は、遺影写真等を卓上スタンド額に収めた場合、卓上スタンド額の背面後部に設けられている脚部を、台座後部の基板と支え板との間に形成した額保持部に挟み込むことによってサイズの異なる卓上スタンド額を台座上に安定して固定保持することができ、また、卓上スタンド額の少なくとも側部に花瓶を配置したので故人の好きな花を常時飾ることができるし、さらに花瓶も上下方向にスライド可能に配置したので、花瓶の水の交換時や花の入れ替え時誤って転倒させる憂いもない。前部に棚部を設けたので適宜小物類も載置することができる。
【図面の簡単な説明】
【００１４】
【図１】本発明の取付用台座に額を取付けた状態を示す第１実施例形態の全体斜視図。
【図２】図１の額取付用台座の要部を示す斜視図。
【図３】図１のＡ−Ａ横断面図。
【図４】本発明の取付用台座に額を取付けた状態を示す第２実施例形態の全体斜視図。
【図５】図４の額取付用台座の要部を示す斜視図。
【図６】図４の背面からみた斜視図。
【図７】図３に対応する他の実施例図。
【図８】額に花瓶受部を取付けた状態を示す他の実施例の全体斜視図。
【図９】図８のＢ−Ｂ横断面図
【発明を実施するための形態】
【００１３】  以下、本発明の実施形態を図面に基づいて説明する。図１において、１は遺影写真、肖像画などを収めた額、２は額を載置した本発明の額取付用の台座で、前部に棚部３を形成し、台座の両側若しくは少なくとも一側に花瓶４を台座２に対して脱着自在に配置してある。
【００１４】  図２は図１における額１および花瓶４を外した台座２の詳細斜視図で、台座２の両側に額保持部５を左右一対に設け、この額保持部５は下部の固定板６を台座２に対して長穴とビスによって左右方向に固定位置を調整自在に取付けるとともに、額１の左右下部を挿入可能とした横断面コ型の縦溝７を左右額保持部５内側面に相対抗して形成し、さらに、この額保持部５の前面に上下方向に伸びる花瓶受部８を設ける。
【００１５】  花瓶４は、合成樹脂、金属、陶器等で作られ、略柱状で内部に生花、造花等を入れる空間を有する。そして花瓶４の後面に、上記花瓶受部８の前面に設けたスライド溝８ｂに嵌合するスライダ８ａを形成し、花瓶４を、花瓶受部８のスライド溝８ｂと花瓶４のスライダ８ａとの摺動によって上方から下方にスライドさせて挿入して花瓶受部８の前面に取り付ける。
【００１６】  また、９は、台座２の後部略中央部に設けた台座２を壁に取り付ける基板であって、基板９の適宜箇所に壁への固定用ビスの取付穴１０を形成すると共に、中央から上方に延びた延設部に、延設部より更に上方に延びた矩形状の支持板１１を、長孔とビスによって支持板１１を基板９に対して上下方向に調整自在に取り付ける。また、この支持板１１の上端部１１ａを前記額１の上部に設けたフック１ａ（図１）に挿入可能に形成した。
【００１７】  以下、上記構成の作動を説明する。台座２を遺影写真を飾りたい部屋の好きなところの壁に基板９の取付穴１０を介してビス等で固定し、遺影写真を収めた額１の左右の下部を台座２の左右の額保持部５の縦溝７にはめ込み、且つ、額１の上部のフック１ａを予め設定した高さに固定した支持板１１の上端部１１ａに係止させて額１を台座２上に載置する。
【００１８】  なお、額保持部５の縦溝７に額１をはめ込む時、予め、額の大きさに合わせて固定板６を左右に動かして額１を額保持部５の縦溝７によってガタつかないように調整する。額１は左右の下部２ヶ所を額保持部５で、また上部１ヶ所をフック１ａの係合の、計三ヶ所で台座上に安定して支持することができる。
【００１９】  額１を壁に取り付けた台座２上に載置固定した後に、花と水を入れた花瓶４を、花瓶受部８の前面と花瓶４の後面に設けたスライド溝とスライダのスライド機構によって花瓶受部８の上方から挿入して花瓶４を台座２に取り付ける。なお、花瓶４は台座２の両側部ではなく、左右のいずれか一方でも構わない。
【００２０】  さらに、本発明の他の実施形態例を図４〜６に基づいて説明する。この実施形態例は前述の図１〜図３の実施例と同じ構造は同じ符号を付す。図４、図６において、１２は遺影写真以外のプロマイド写真とかペット写真を収めた卓上スタンド額、２は額１２を載置した額取付用の台座で、前部に棚部３を形成し、台座２の少なくとも一側に花瓶４を台座２に対して脱着自在に配置してある。具体的には、先の実施例と同じく花瓶４の後面に設けたスライダ８ａを上記花瓶受部８のスライド溝８ｂに上方から嵌合し下方にスライドさせて、台座２の前面に花瓶４を脱着可能に取り付けた。
【００２１】  また、図５、図６にも示すように、上記台座２の後部に台座２の幅に沿って上方に立設し壁への取付穴１０を設けた基板９を一体的に設け、この基板９の前方に位置し、基板９と略平行して基板９の高さより低く立設した支え板１３とを備える。基板９と支え板１３とによって額保持部５を形成する。すなわち、上記台座２に卓上スタンド額１２を載置する時、卓上スタンドに備えられている脚部１４を上記台座２の基板９と支え板１３との間で形成した額保持部５の隙間に挟み込むことによってサイズの異なる卓上スタンド額１２を台座２上に固定保持する
【００２２】  また、上記台座２の少なくとも左右方向一側の前面にスライド溝８ｂを設けた花瓶受部８を備え、上記花瓶４の後面に設けたスライダ８ａを上記花瓶受部８のスライド溝８ｂに上方から嵌合し下方にスライドさせて、台座２の前面に花瓶４を脱着可能に取り付け、さらに、上記台座２の前部に小物等を載置可能とした棚部３を設けたものである。
【００２３】  上記構成の作動を説明する。台座２を飾りたい部屋の好きなところの壁に基板９の取付穴１０を介してビス等で固定し、卓上スタンド額１２の背部に備えられている脚部１４を、台座２の基板９と支え板１３との間で形成した額保持部５に挟み込むことによってサイズの異なる卓上スタンド額１２を台座２上に安定して支持することができ、
【００２４】  また、卓上スタンド額１２の少なくとも一側部に花瓶４を配置したので故人の好きな花を常時飾ることができるし、さらに花瓶４も上下方向にスライド可能に配置したので、花瓶４の水の交換時や花の入れ替え時誤って転倒させる憂いもない。前部に棚部を設けたので適宜小物類も載置することができる。
【００２５】  なお、図７は図３に示した花瓶４と花瓶受部８との間に形成したスライド溝とスライダの他の実施例を示し、固定板６から額保持部５の前部の上方に立設した花瓶受部８に設けた左右二本の棒状のスライドガイド８ｂと、スライドガイド８ｂに上方から嵌合し下方にスライドする花瓶４に設けた円環状のスライダ８ａである。作用は図３と同じく花瓶４を花瓶受部８に対して上下にスライド自在とした例である。勿論、上下方向スライド自在のメカニズムは他の構成でもよい。
【００２６】  又、図８において、額１の左右側部の少なくとも一側の額縁に花瓶受部８を額縁の裏側に延びた取付縁部８１をビス等で着脱自在に、且つ上下位置自在に任意の位置に取り付けると共に、この花瓶受部８の前面に上下方向にスライド溝８ｂを形成する。一方、花瓶４の後面に上記スライド溝８ｂに嵌合して上下動するスライダ８ａを形成する。そして、額１を任意の部屋の壁に取付けた後、花瓶４のスライダ８ａを、額１に取付けた花瓶受部８前面のスライド溝８ａに上方から下方にスライドさせ、花瓶４を額１の側部に脱着可能に取り付けた。
【符号の説明】
【００２５】  １    額
２    台座
３    棚部
４    花瓶
５    額保持部
６    固定板
７    縦溝
８    花瓶受部
９    基板
１０  取付穴
１１  支持板
１２  卓上スタンド
１３  支え板
１４  脚部
【図１】
2012030024.tif 000003
【図４】
2012030024.tif 000004
【図５】
2012030024.tif 000005
【図６】
2012030024.tif 000006
【図２】
2012030024.tif 000007
【図３】
2012030024.tif 000008
【図７】
2012030024.tif 000009
【図８】
2012030024.tif 000010
【図９】
2012030024.tif 000011